【事件の表示】
　特許第３３２８４５０号「排版装置」の請求項１乃至５に係る特許に対する特許異議の申立てについて、次のとおり決定する。
【結　論】
　訂正を認める。
　特許第３３２８４５０号の請求項１ないし５に係る特許を維持する。
【理　由】
１．手続の経緯
　本件特許第３３２８４５０号の請求項１乃至５に係る発明についての出願は、平成６年１１月１８日に特許出願され、平成１４年７月１２日にその特許権の設定の登録がなされ、請求項１乃至５に係る特許について、山口十四治より特許異議の申立てがなされ、取消理由通知がなされ、その指定期間内である平成１５年８月１９日に特許異議意見書の提出とともに訂正請求（後日取下げ）がなされた後、再度の取消理由通知がなされ、その指定期間内である平成１５年１１月１９日に訂正請求（以下、「本件訂正」という。）がなされたものである。
　
２．訂正の適否
（１）訂正の内容
〈訂正事項１〉
　特許請求の範囲の請求項１を、
「【請求項１】　廃棄すべき原紙を搬送する搬送手段と、前記搬送手段によって搬送された原紙を開口部から受け入れて収納空間に収納する排版収納部と、前記排版収納部の収納空間内を移動して該収納空間内の原紙を圧縮する圧縮手段と、前記圧縮手段と干渉しないように前記排版収納部の開口部に臨む位置に配置され、圧縮が完了した後に前記圧縮手段が前記開口部に向けて移動した際に、前記圧縮手段に付着した原紙が同開口部から外に出ないように押さえる押さえ手段とを有する排版装置。」から、
「【請求項１】　廃棄すべき原紙を搬送する搬送手段と、前記搬送手段によって搬送された原紙を開口部から受け入れて収納空間に収納する排版収納部と、
軸に対して回動自在に取り付けられ
回動
前記圧縮手段の先端縁に突出した形状で設けられ、前記圧縮手段の回動によって前記排版収納部内に原紙を取り込んで圧縮でき、圧縮した原紙を更に前記排版収納部内の奥側上方の前記軸に向けて移動させるような形状のかき寄せリブと、前記かき寄せリブ
回動
前記かき寄せリブ
し、前記押さえ手段は、前記開口部の前記かき寄せリブが通過する位置に設けられている
〈訂正事項２〉
　特許請求の範囲の請求項２を、
「【請求項２】　前記排版収納部は、周壁を有し前記開口部を上面に備えており、前記圧縮手段は、前記排版収納部の前記周壁の形状に略合致した軌跡で移動するように構成されており、前記押さえ手段は、前記開口部の前記圧縮手段が通過する位置に設けられている請求項１記載の排版装置。」から、
「【請求項２】　前記排版収納部は、
底面乃至前面が
であり、略矩形の背面と略扇形の両側面は閉止されており、
回動
てい
〈訂正事項３〉
　特許請求の範囲の請求項３を、
「【請求項３】　廃棄すべき原紙を搬送する搬送手段と、前記搬送手段によって搬送された原紙を開口部から受け入れて収納空間に収納する排版収納部と、前記排版収納部の収納空間内を移動して該収納空間内の原紙を圧縮する圧縮手段とを有し、搬送方向下流側の前記搬送手段の一部を前記圧縮手段が通過する前記開口部に前記圧縮手段と干渉しないように配置した排版装置において、
　搬送方向下流側の前記搬送手段の一部の近傍であって、前記搬送手段が搬送する孔版原紙に抵抗を与えず、前記収納空間に収納された孔版原紙の前記搬送手段への巻き込みを起こさず、前記圧縮手段と干渉しないような位置に、圧縮が完了した後に前記開口部に向けて移動する前記圧縮手段に付着した原紙を押さえて同開口部から外に出ないようにする押さえ手段を設けた排版装置。」から、
「【請求項３】　廃棄すべき原紙を搬送する搬送手段と、前記搬送手段によって搬送された原紙を開口部から受け入れて収納空間に収納する排版収納部と、
軸に対して回動自在に取り付けられ
回動
　
前記圧縮手段の先端縁に突出した形状で設けられ、前記圧縮手段の回動によって前記排版収納部内に原紙を取り込んで圧縮でき、圧縮した原紙を更に前記排版収納部内の奥側上方の前記軸に向けて移動させるような形状のかき寄せリブを有し、
かき寄せリブ
かき寄せリブ
、前記押さえ手段は、前記開口部の前記かき寄せリブが通過する位置に設けられている
〈訂正事項４〉
　特許請求の範囲の請求項４を、
「【請求項４】　前記押さえ手段が、前記搬送手段とは別体で前記排版収納部の内面側に設けられている請求項３記載の排版装置。」から、
「【請求項４】　
前記排版収納部は、底面乃至前面が周壁であり、略矩形の背面と略扇形の両側面は閉止されており、前記開口部を上面に備えており、
〈訂正事項５〉
　明細書の段落【０００７】〜【００１０】を次のように訂正する（下線は訂正個所を示す）。
「【０００７】
　【課題を解決するための手段】
　請求項１に記載された排版装置は、廃棄すべき原紙を搬送する搬送手段と、前記搬送手段によって搬送された原紙を開口部から受け入れて収納空間に収納する排版収納部と、
軸に対して回動自在に取り付けられ
回動
前記圧縮手段の先端縁に突出した形状で設けられ、前記圧縮手段の回動によって前記排版収納部内に原紙を取り込んで圧縮でき、圧縮した原紙を更に前記排版収納部内の奥側上方の前記軸に向けて移動させるような形状のかき寄せリブと、前記かき寄せリブ
回動
前記かき寄せリブ
し、前記押さえ手段は、前記開口部の前記かき寄せリブが通過する位置に設けられている
　【０００８】
　請求項２に記載された排版装置は、請求項１記載の排版装置において、前記排版収納部は、
底面乃至前面が
であり、略矩形の背面と略扇形の両側面は閉止されており、
回動
てい
　【０００９】
　請求項３に記載された排版装置は、廃棄すべき原紙を搬送する搬送手段と、前記搬送手段によって搬送された原紙を開口部から受け入れて収納空間に収納する排版収納部と、
軸に対して回動自在に取り付けられ
回動
前記圧縮手段の先端縁に突出した形状で設けられ、前記圧縮手段の回動によって前記排版収納部内に原紙を取り込んで圧縮でき、圧縮した原紙を更に前記排版収納部内の奥側上方の前記軸に向けて移動させるような形状のかき寄せリブを有し、
かき寄せリブ
かき寄せリブ
、前記押さえ手段は、前記開口部の前記かき寄せリブが通過する位置に設けられている
　【００１０】
　請求項４に記載された排版装置は、請求項３記載の排版装置において、
前記排版収納部は、底面乃至前面が周壁であり、略矩形の背面と略扇形の両側面は閉止されており、前記開口部を上面に備えており、
　
（２）訂正の目的の適否
〈訂正事項１について〉
　上記訂正事項１は、訂正前請求項１に記載の「圧縮手段」が、「軸に対して回動自在に取り付けられ」ると共に、その「先端縁に」「前記圧縮手段の回動によって前記排版収納部内に原紙を取り込んで圧縮でき、圧縮した原紙を更に前記排版収納部内の奥側上方の前記軸に向けて移動させるような形状のかき寄せリブ」が「突出した形状で設けられ」る旨を限定し、さらに、訂正前請求項１に記載の「押さえ手段」が、「前記開口部の前記かき寄せリブが通過する位置に設けられている」旨を限定するものであるから、上記訂正事項１は、特許請求の範囲〔請求項１（及び、これを引用する請求項２）〕の減縮を目的とした明細書の訂正に該当する。
〈訂正事項２について〉
　上記訂正事項２は、訂正前請求項２に記載の「周壁」が、底面乃至前面が周壁であり、略矩形の背面と略扇形の両側面は閉止されている旨を限定するものであるから、上記訂正事項２は、特許請求の範囲〔請求項２〕の減縮を目的とした明細書の訂正に該当する。
〈訂正事項３について〉
　上記訂正事項３は、訂正前請求項３に記載の「圧縮手段」が、「軸に対して回動自在に取り付けられ」ると共に、その「先端縁に」「前記圧縮手段の回動によって前記排版収納部内に原紙を取り込んで圧縮でき、圧縮した原紙を更に前記排版収納部内の奥側上方の前記軸に向けて移動させるような形状のかき寄せリブ」が「突出した形状で設けられ」る旨を限定し、訂正前請求項３に記載の「押さえ手段」が、「前記開口部の前記かき寄せリブが通過する位置に設けられている」旨を限定するものであるから、上記訂正事項３は、特許請求の範囲〔請求項３（並びに、これを引用する請求項４及び５）〕の減縮を目的とした明細書の訂正に該当する。
〈訂正事項４について〉
　上記訂正事項４は、訂正前請求項４に記載の「周壁」が、底面乃至前面が周壁であり、略矩形の背面と略扇形の両側面は閉止されている旨を限定するものであるから、上記訂正事項４は、特許請求の範囲〔請求項４〕の減縮を目的とした明細書の訂正に該当する。
〈訂正事項５について〉
　上記訂正事項５は、上記訂正事項１乃至４に伴い、特許請求の範囲の記載と発明の詳細な説明との整合を図るため、発明の詳細な説明の記載を訂正したもので、明りょうでない記載の釈明を目的とした明細書の訂正に該当する。
　
　以上のとおりであるから、本件訂正は、特許請求の範囲の減縮又は明りょうでない記載の釈明を目的とした訂正である。
　
（３）新規事項の追加及び拡張・変更についての判断
〈訂正事項１及び３について〉
　上記訂正事項１及び３の圧縮手段が、軸に対して回動自在に取り付けられると共に、その先端縁に前記圧縮手段の回動によって排版収納部内に原紙を取り込んで圧縮でき、圧縮した原紙を更に前記排版収納部内の奥側上方の前記軸に向けて移動させるような形状のかき寄せリブが突出した形状で設けられる点は、願書に添付した明細書（以下「特許明細書」といい、願書に添付した図面を「特許図面」といい、これらをあわせて「特許明細書等」という。）の段落【００３６】〜【００３８】の記載、及び特許図面の【図１】〜【図４】に基づくものであり、特許明細書等に記載されている。
　また、上記訂正事項１及び３の押さえ手段が、前記開口部の前記かき寄せリブが通過する位置に設けられている点は、特許明細書の特許請求の範囲の【請求項２】、段落【０００８】及び【００４９】の記載、及び特許図面の【図８】〜【図１０】に基づくものであり、特許明細書等に記載されている。
　
〈訂正事項２及び４について〉
　上記訂正事項２及び４の周壁が、底面乃至前面が周壁であり、略矩形の背面と略扇形の両側面は閉止されている点は、特許明細書の段落【００３７】及び【００４１】の記載、及び特許図面の【図１】〜【図３】、【図６】〜【図１０】に基づくものであり、特許明細書等に記載されている。
　
〈訂正事項５について〉
　上記訂正事項５は、特許請求の範囲の記載と図面の簡単な説明との整合を図るため、図面の簡単な説明の記載を訂正したものであるから、上記訂正事項１乃至４と同様の理由で、特許明細書等に記載されている。
　
　以上のとおりであるから、本件訂正は、願書に添付した明細書又は図面に記載した事項の範囲内においてしたものと認められ、また、本件訂正が実質上特許請求の範囲を拡張し、又は変更するものでないことは明らかである。
　
（４）訂正の判断の結論
　したがって、本件訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての当審の判断
　
（１）特許異議申立ての概要
　特許異議申立人山口十四治は、概略以下の理由で訂正前の請求項１乃至５に係る発明の特許は、拒絶の査定をしなければならない特許出願に対してされたものである旨主張している。
　
［理由１］
　訂正前の請求項１に係る発明は、甲第１号証または甲第２号証の各記載の発明と同一である、または、甲第１号証に記載された発明に基づいて、又は甲第２号証に記載された発明に基づいて、又は甲第１号証及び甲第２号証に記載された発明に基づいて、又は甲第９号証に記載された発明に基づいて、又は甲第１号証、甲第２号証及び甲第９号証に記載された発明に基づいて当業者が容易に発明をすることができたものである。
　訂正前の請求項２に係る発明は、甲第１号証乃至甲第４号証に記載された発明に基づいて、当業者が容易に発明をすることができたものである。
　訂正前の請求項３に係る発明は、甲第１号証または甲第２号証の各記載の発明と同一である、または、甲第１号証に記載された発明に基づいて、又は甲第２号証に記載された発明に基づいて、又は甲第１号証及び甲第２号証に記載された発明に基づいて、又は甲第１号証、甲第２号証及び甲第９号証に記載された発明に基づいて、当業者が容易に発明をすることができたものである。
　訂正前の請求項４に係る発明は、甲第２号証に記載された発明と同一である、または、甲第２号証に記載された発明に基づいて、当業者が容易に発明をすることができたものである。
　訂正前の請求項５に係る発明は、甲第１号証に記載された発明と同一である、または、甲第１号証に記載された発明に基づいて、当業者が容易に発明をすることができたものである。
　また、訂正前の請求項１乃至５に係る発明は、少なくとも甲第１号証乃至甲第４号証並びに甲第９号証に記載された発明に基づいて、当業者が容易に発明をすることができたものである。
　したがって、訂正前の請求項１、３、４及び５に係る発明は、特許法第２９条第１項第３号に規定する発明に該当し特許を受けることができない、または、特許法第２９条第２項の規定により特許を受けることができない。また、訂正前の請求項２に係る発明は、特許法第２９条第２項の規定により特許を受けることができない。
　
［理由２］
　平成１４年２月１８日付けで行われた手続補正は、願書に最初に添付した明細書又は図面に記載した事項の範囲内においてなされたものではないから、特許法第１７条の２第２項において準用する特許法第１７条第２項に規定する要件を満たしていない。
　
（２）本件発明の認定
　２．で述べたとおり、平成１５年１１月１９日付けの訂正請求による訂正が認められるから、本件の請求項１乃至５に係る発明（以下、「本件発明１乃至５」という。）は、同訂正請求書に添付された訂正明細書の特許請求の範囲に記載された、以下のとおりのものと認める。
「【請求項１】　廃棄すべき原紙を搬送する搬送手段と、前記搬送手段によって搬送された原紙を開口部から受け入れて収納空間に収納する排版収納部と、軸に対して回動自在に取り付けられ前記排版収納部の収納空間内を回動して該収納空間内の原紙を圧縮する圧縮手段と、前記圧縮手段の先端縁に突出した形状で設けられ、前記圧縮手段の回動によって前記排版収納部内に原紙を取り込んで圧縮でき、圧縮した原紙を更に前記排版収納部内の奥側上方の前記軸に向けて移動させるような形状のかき寄せリブと、前記かき寄せリブと干渉しないように前記排版収納部の開口部に臨む位置に配置され、圧縮が完了した後に前記圧縮手段が前記開口部に向けて回動した際に、前記かき寄せリブに付着した原紙が同開口部から外に出ないように押さえる押さえ手段とを有し、前記押さえ手段は、前記開口部の前記かき寄せリブが通過する位置に設けられている排版装置。
【請求項２】　前記排版収納部は、底面乃至前面が周壁であり、略矩形の背面と略扇形の両側面は閉止されており、前記開口部を上面に備えており、前記圧縮手段は、前記排版収納部の前記周壁の形状に略合致した軌跡で回動するように構成されている請求項１記載の排版装置。
【請求項３】　廃棄すべき原紙を搬送する搬送手段と、前記搬送手段によって搬送された原紙を開口部から受け入れて収納空間に収納する排版収納部と、軸に対して回動自在に取り付けられ前記排版収納部の収納空間内を回動して該収納空間内の原紙を圧縮する圧縮手段とを有し、搬送方向下流側の前記搬送手段の一部を前記圧縮手段が通過する前記開口部に前記圧縮手段と干渉しないように配置した排版装置において、
　前記圧縮手段の先端縁に突出した形状で設けられ、前記圧縮手段の回動によって前記排版収納部内に原紙を取り込んで圧縮でき、圧縮した原紙を更に前記排版収納部内の奥側上方の前記軸に向けて移動させるような形状のかき寄せリブを有し、
　搬送方向下流側の前記搬送手段の一部の近傍であって、前記搬送手段が搬送する孔版原紙に抵抗を与えず、前記収納空間に収納された孔版原紙の前記搬送手段への巻き込みを起こさず、前記かき寄せリブと干渉しないような位置に、圧縮が完了した後に前記開口部に向けて移動する前記かき寄せリブに付着した原紙を押さえて同開口部から外に出ないようにする押さえ手段を設け、前記押さえ手段は、前記開口部の前記かき寄せリブが通過する位置に設けられている排版装置。
【請求項４】　前記排版収納部は、底面乃至前面が周壁であり、略矩形の背面と略扇形の両側面は閉止されており、前記開口部を上面に備えており、前記押さえ手段が、前記搬送手段とは別体で前記排版収納部の内面側に設けられている請求項３記載の排版装置。
【請求項５】　前記搬送手段が、支持部材と、前記支持部材に設けられたプーリと、前記プーリに掛け回されたベルトを有しており、
　前記押さえ手段が、前記搬送手段の支持部材の一部にて形成されている請求項３記載の排版装置。」
　
（３）理由１についての判断
ア）刊行物
　甲第１号証乃至甲第４号証並びに甲第９号証（以下、甲第１号証乃至甲第４号証を「刊行物１乃至４」と、甲第９号証を「刊行物５」という。）には、本件発明１乃至５に関連する事項として、以下のような事項が記載されている（記載中「・・・」は中略を示す）。
　
［刊行物１：特開平５−２８６２２３号公報］
１−ア）「本発明は孔版印刷機の自動排版装置に関し、さらに詳しくは、印刷済みの原紙を印刷ドラムから剥がし搬送する一対の排版ローラによって排版ボックス内へ原紙を排出する装置に関する。」（第１欄第３８行〜第４１行）
１−イ）「この孔版印刷機は、・・・機体部１の中央部に配置され製版済みの原紙１１Ａを外周面に巻装する版胴１２を有する印刷ドラム７と・・・版胴１２の外周面から剥ぎ取られた使用済みの原紙１１Ｂを排版ボックス１８内に収納する排版部６とを具備する。」（第６欄第８行〜第２３行）
１−ウ）「排版搬送ベルト５１ａは排版剥離ローラ５０ａと排版搬送ローラ５２ａとの間、そして排版搬送ベルト５１ｂは排版剥離ローラ５０ｂと排版搬送ローラ５２ｂとの間にそれぞれ掛けられているので、・・・互いに逆方向に回転する。」（第７欄第１１行〜第１６行）
１−エ）「原紙１１Ａは排版剥離ローラ５０ａ，５０ｂ対、排版搬送ベルト５１ａ，５１ｂ、及び排版搬送ローラ５２ａ，５２ｂに挾まれて排版ボックス１８の方へ搬送される。」（第９欄第１７行〜第２０行）
１−オ）「原紙１１Ａは連続的に後方に搬送され、排版搬送ガイド板５３ａ，５３ｂによって排版搬送ローラ５２ａ，５２ｂ対から分離された後に、排版ボックス１８に収納される。１版分の原紙１１Ａを取り込み終えると、排版モータ５７の回転が停止され、排版剥離ローラ５０ａ，５０ｂ対の回転は停止する。一方、印刷ドラム７は給版の工程のための所定の位置まで回転し、原紙クランパ２０を開いて停止する。」（第９欄第３５行〜第４２行）
１−カ）「排版部６では、図６に示すように排版ボックス１８に収納された原紙１１Ａを圧縮するために図７に示す圧縮板昇降モータ２５に通電され、同図の圧縮板昇降ピニオン２４が時計回りに回転することで、圧縮板昇降ピニオン２４と噛み合っている圧縮板昇降ラック２３が下方に動き圧縮板６０が降下してくる。・・・すなわち圧縮された原紙１１Ａ及び排版済みの原紙１１Ｂをある一定の圧力で圧縮することが可能となっている」（第９欄第４３行〜第１０欄第９行）
１−キ）「圧縮が終了すると圧縮板昇降モータ２５へ逆向きの通電が行われ、圧縮板昇降ピニオン２４が反時計回りに回転し圧縮板６０を上昇させる。圧縮板６０が排版ボックス１８の外へ出ると、圧縮板昇降モータ２５への通電が停止し、圧縮板６０は初期の位置で停止する。そして次の排版工程まで待機する。よって排版ボックス１８の機体部１からの取り出しも可能となる。」（第１０欄第１２行〜第１８行）
１−ク）【図５】には、排版ボックス１８が開口部から使用済みの原紙１１Ａを受け入れること、使用済みの原紙１１Ｂを収納する収納空間を備えることが示されている。
１−ケ）【図１】には、排版搬送ガイド板５３ｂが、排版ボックス１８の開口部に臨む位置に配置されていること、及び排版搬送ガイド板５３ｂが排版搬送ローラ５２ｂに近傍にあることが示されている。
１−コ）【図６】には、排版搬送ガイド板５３ｂ及び排版搬送ローラ５２ｂが、圧縮板６０と干渉しないように配置されていることが示されている。
　
［刊行物２：特開平３−２５４９８３号公報］
２−ア）「本発明は、孔版印刷装置等に設けられて使用済みの孔版原紙を圧縮して廃棄する排版装置に関するものである。」（第１頁左下欄第１６行〜第１８行）
２−イ）「前記回転部８の隣には廃棄部としての排版箱17が設けられている。前記回転部８に相対する排版箱17の前面には、前記回転部８の長手方向に沿って孔版原紙の幅よりも長い投入口18が形成されている。また、前記投入口18の上側には、複数の庇状の導入板19が間隔をおいて突設されている。さらに前記投入口18の下側には、前記各導入板19に対応して一又は二の導入板20が突設されており、これら下側の導入板20は回転部８の下方にまで延設されている。これらの導入板19,20は排版箱17の前面に突出しているが、前記各回転部材９の隙間に位置しており、各回転部材９には接触しないようになっている。即ち、回転部８と排版箱17の導入板19,20とは入れ子状になっており、互いに干渉することがない。」（第２頁左下欄第１０行〜右下欄第５行）
２−ウ）「第３図に示すように、剥離爪３が版胴１の表面から孔版原紙Ｓの端部を剥取る。第４図に示すように、この孔版原紙Ｓは巻取りローラ４に案内され、該巻取りローラ４によって搬送されて版胴１から引剥されていく。そして、第５図に示すように、この孔版原紙Ｓは巻取りローラ４で回転部８の収納部13内に一旦収納され、押しつぶされた状態になる。第６図に示すように、前記収納部13の開口が回転方向の遅れ側となるような方向に回転部８が回動する。前記孔版原紙Ｓは下側の導入板20の延設部分に案内されて収納部13内に保持されながら排版箱17の方へ運ばれる。第７図に示すように、回転部８の回転により、収納部13内の孔版原紙Ｓは該収納部13内で上側の導入板19に押され、下側の導入板20との間でさらに圧縮される。第８図〜第10図に示すように、回転部８がさらに回転して第５図の位置から180°回転した位置にくると、圧縮された前記孔版原紙Ｓは上側の導入板19に押されて収納部13から排出され、投入口18から排版箱17内へ投入される。」（第２頁右下欄第１４行〜第３頁左上欄第１６行）
２−エ）「以上説明した一実施例によれば、回転部８の収納部13内に押込まれた孔版原紙Ｓを回転部８の回転力によってさらに圧縮して排版箱17内に投入している。従って孔版原紙の圧縮が確実であり、排版箱17内には多数枚の孔版原紙を収納できる。また、一度廃棄した孔版原紙が巻取りローラ４に巻付く等の事故は発生しない。」（第３頁右上欄第２行〜第８行）
２−オ）「本発明は、回転部の収納部内に孔版原紙を押込み、該回転部を回転させることにより、廃棄部の導入板で収納部内の孔版原紙を圧縮するようにしている。従ってこの排版装置によれば、孔版原紙の圧縮が確実であり、一度廃棄した孔版原紙が装置の手前側にある巻取りローラに巻付いてしまう等の事故が発生することはない」（第３頁右上欄第１９行〜左下欄第５行）
　
［刊行物３：実願昭５２−２８７８９号（実開昭５３−１２３７１５号）のマイクロフィルム］
３−ア）「本考案は塵芥の投入、押込みを天蓋を用いて行う塵芥運搬車に関するものである。」（明細書第１頁第１９行〜第２０行）
３−イ）「この収容箱（２）は上壁（２ａ）に塵芥の投入口（２ｂ）を開口し、投入口（２ｂ）を開閉する天蓋（３）は・・・投入口の周縁（２ｃ）に軸支（５）して回動可能に設けられている。収容箱（２）の前壁は天蓋（３）の収容箱（２）内への回動運動時天蓋の先端（３ａ）と干渉しない程度の一定の間隙を存せしめて天蓋（３）の回動運動に対応した円弧面（２ｄ）に形成させている。」（明細書第２頁第２０行〜第３頁第７行）
３−ウ）「投入口（２ｂ）近傍に塵芥が山積すると、・・・天蓋（４）が反時計方向周りに収納箱（２）内を回動して塵芥の押し込み板の働きをする。」（明細書第４頁第１９行〜第５頁第３行）
　
［刊行物４：実願昭５４−１７２５２１号（実開昭５６−８８７０６号）のマイクロフィルム］
４−ア）「本考案は塵芥収集車に関し、とりわけ塵芥をボデイ内に押込み収容するプレツシヤプレートを備えた圧縮型塵芥収集車の改良に関する。」（明細書第２頁第３行〜第５行）
４−イ）「ボデイ１の前部上側には塵芥投入口６を形成してあり、この投入口６にゲートを兼ねたプレツシヤプレート７を配設してある。・・・プレツシヤプレート７は常態にあつては前記駆動機構１１によつて水平状態に保持されて投入口６を閉塞し、塵芥投入時には約９０°開動，起立されて、塵芥投入後はこの起立状態から約１８０°回動されて投入された塵芥をボデイ１内に押込むようにしてある。また、前記投入口６の下方には、ボデイフロア１２に連なつて前記プレツシヤプレート７先端の回動軌跡に沿う円弧状のガイドフロア１３を配設してあり、投入口６より投入された塵芥をプレツシヤプレート７の回動によりスムーズにボデイ１内に押込めるようにしてある。また、前述のプレツシヤプレート７の先端には、塵芥をボデイ１内へ斜め上方に指向して押込めるようにウエツジ状の爪部１４を形成してある。」（明細書第３頁第１２行〜第５頁第４行）
４−ウ）「前述のようにプレツシヤプレート７の先端にはウエツジ状の爪部１４を形成してあるため、塵芥の押込み時に該爪部１４により塵芥をボデイ１内の斜め上方にかき上げて押込む・・・本考案によれば単一の駆動機構によつて塵芥をボデイ内に圧縮、，充填できる」（明細書第６頁第３行〜第１２行）
　
［刊行物５：特開昭５２−９４２２２号公報］
５−ア）「本発明は原紙排出装置を有する謄写印刷機に関する。」（第２頁左上欄第１９行〜第２０行）
５−イ）「ボス１４に取りつけられた滑り押え１１がコンテナー１０内で動くようになつている。図には示していないが押え１１は本機の蓋が開くとコンテナーの中で下向きにおし下げられる。古い原紙を排出した後、新しい原紙を取りつけたいときに開けるのが普通であり、従つてコンテナーの中に最後に排出された原紙はライナー１２の中に押し下げられる。それで多くの使用ずみの原紙がライナーの中に集められコンテナーを空ける必要が生ずるようになる。」（第３頁左下欄第９行〜第１８行）
５−ウ）「図から分かるように案内１３、ローラー８およびローラー９は各々三個あつて、本機の横巾方向に分かれておかれている。ベルトも三個あるが、第２図においてはこれは案内１３にかくれている。案内１３は本機の横部材上に取りつけられていて、ローラー８および９は夫々の共通軸上に取りつけられているがこれは図には示されていない。ベルトの軸７Ａもまた共通軸である。案内１３はコンベア・ベルト７上に原紙を保持してコンテナーの方へのその移送を確実にする。」（第３頁右下欄第７行〜第１６行）
　
イ）対比・判断
［本件発明１について］
　上記ア）１−ア）〜１−コ）の記載を含む明細書及び図面の記載からみて、刊行物１には、
「印刷済みの原紙１１Ａを搬送する排版剥離ローラ５０ａ，５０ｂ、排版搬送ベルト５１ａ，５１ｂと、前記排版剥離ローラ５０ａ，５０ｂ、排版搬送ベルト５１ａ，５１ｂによって搬送された原紙１１Ａを開口部から受け入れて収納空間に収納する排版ボックス１８と、昇降自在に取り付けられ前記排版ボックス１８の収納空間内を降下して該収納空間内の原紙を圧縮する圧縮板６０と、前記圧縮板６０と干渉しないように前記排版ボックス１８の開口部に臨む位置に配置される排版搬送ガイド板５３ｂとを有する排版装置。」
の発明（以下、「刊行物１発明」という。）が記載されていると認めることができる。　
　
　本件発明１と、刊行物１発明とを対比する。
　刊行物１発明の「印刷済みの原紙１１Ａ」、「排版剥離ローラ５０ａ，５０ｂ、排版搬送ベルト５１ａ，５１ｂ」、「排版ボックス１８」及び「圧縮板６０」は、それぞれの機能に照らしそれぞれ、本件発明１の「廃棄すべき原紙」、「搬送手段」、「排版収納部」及び「圧縮手段」に相当する。
　刊行物１発明の「前記圧縮板６０と干渉しないように前記排版ボックス１８の開口部に臨む位置に配置される排版搬送ガイド板５３ｂ」は、「排版ボックス１８の開口部に臨む位置に配置される」以上、圧縮板６０に付着した原紙が同開口部から外に出ないように押さえる機能を有することは、明らかであるから、本件発明１の「前記かき寄せリブと干渉しないように前記排版収納部の開口部に臨む位置に配置され、圧縮が完了した後に前記圧縮手段が前記開口部に向けて回動した際に、前記かき寄せリブに付着した原紙が同開口部から外に出ないように押さえる押さえ手段」とは、「前記圧縮手段と干渉しないように前記排版収納部の開口部に臨む位置に配置され、圧縮が完了した後に前記圧縮手段が前記開口部に向けて移動した際に、前記圧縮手段に付着した原紙が同開口部から外に出ないように押さえる押さえ手段」である点で共通する。
　刊行物１発明の「昇降自在に取り付けられ前記排版ボックス１８の収納空間内を降下して該収納空間内の原紙を圧縮する圧縮板６０」と、本件発明１の「軸に対して回動自在に取り付けられ前記排版収納部の収納空間内を回動して該収納空間内の原紙を圧縮する圧縮手段」とは、「移動自在に取り付けられ前記排版収納部の収納空間内を移動して該収納空間内の原紙を圧縮する圧縮手段」である点で共通する。
　そうすると、本件発明１と、刊行物１発明とは、
「廃棄すべき原紙を搬送する搬送手段と、前記搬送手段によって搬送された原紙を開口部から受け入れて収納空間に収納する排版収納部と、移動自在に取り付けられ前記排版収納部の収納空間内を移動して該収納空間内の原紙を圧縮する圧縮手段と、前記圧縮手段と干渉しないように前記排版収納部の開口部に臨む位置に配置され、圧縮が完了した後に前記圧縮手段が前記開口部に向けて移動した際に、前記かき寄せリブに付着した原紙が同開口部から外に出ないように押さえる押さえ手段とを有する排版装置。」
である点で一致し、少なくとも次の点で相違する。
　
［相違点］
　圧縮手段の移動方向、及び圧縮手段と押さえ手段の位置関係について、本件発明１は、圧縮手段（圧縮手段の先端縁に突出した形状で設けられたかき寄せリブ）は、回動自在であり、その回動自在の圧縮手段が排版収納部の開口部を通過する位置に、押さえ手段が設けられているのに対し、刊行物１発明は、圧縮手段は昇降自在であり、その昇降自在の圧縮手段が排版収納部の開口部を通過する位置には、押さえ手段が設けられていない点。
　
　上記相違点について検討するに、上記刊行物３及び４に、廃棄物収納部内で廃棄物を圧縮するための圧縮手段を軸に対して回動自在に取り付けることが示唆されている〔（記載事項３−イ）、３−ウ）、４−イ）、４−ウ）等参照〕から、刊行物１発明においても、圧縮手段を軸に対して回動自在に取り付けるようになすことは当業者が容易になし得ることである。
  しかしながら、本件発明１が、回動自在の圧縮手段が排版収納部の開口部を通過する位置に、押さえ手段が設けられているのに対し、上記刊行物３及び４に記載のものは、押さえ手段を設けることがそもそも記載されておらず、回動自在の圧縮手段が排版収納部の開口部を通過する位置に、押さえ手段を設けることを示唆するものではなく、他の証拠にもこのことを示唆するものはない。
　また、上記相違点に係る本件発明１の構成は、当該技術分野で周知の事項であるともいえない。
　してみれば、上記相違点は、当業者が容易に想起できたものとは認められない。
　そして、本件発明１は、特に上記相違点に係る構成を具備することにより、「特に、圧縮手段によって排版収納部内で圧縮した原紙Ｓが排版収納部外に戻ってしまうという不都合が回避できる。」という上記刊行物１乃至５に記載されていない作用効果を奏するものである。
　したがって、本件発明１は、上記刊行物１乃至５に記載された発明と同一といえないばかりでなく、これらから当業者が容易に発明をすることができたものともいえない。
　
［本件発明２について］
　本件発明２は、本件発明１の構成要件の全てを構成要件の一部として備えるものであるから、本件発明１と同様な理由で、上記刊行物１乃至５に記載された発明と同一といえないばかりでなく、これらから当業者が容易に発明をすることができたものともいえない。
　
［本件発明３について］
　上記ア）１−ア）〜１−コ）の記載を含む明細書及び図面の記載からみて、刊行物１には、
「印刷済みの原紙１１Ａを搬送する排版剥離ローラ５０ａ，５０ｂ、排版搬送ベルト５１ａ，５１ｂと、前記排版剥離ローラ５０ａ，５０ｂ、排版搬送ベルト５１ａ，５１ｂによって搬送された原紙１１Ａを開口部から受け入れて収納空間に収納する排版ボックス１８と、昇降自在に取り付けられ前記排版ボックス１８の収納空間内を降下して該収納空間内の原紙を圧縮する圧縮板６０とを有し、排版搬送ローラ５２ｂを前記圧縮板６０が通過する前記開口部に前記圧縮板６０と干渉しないように配置した排版装置において、排版搬送ローラ５２ｂの近傍であって、前記圧縮手段と干渉しないような位置であると共に排版ボックスの開口部の臨む位置に、排版搬送ガイド板５３ｂを設けた排版装置。」
の発明（以下、「刊行物１発明２」という。）が記載されていると認めることができる。
　本件発明３と、刊行物１発明２とを対比する。
　刊行物１発明２の「印刷済みの原紙１１Ａ」、「排版剥離ローラ５０ａ，５０ｂ、排版搬送ベルト５１ａ，５１ｂ」、「排版ボックス１８」、「圧縮板６０」及び「排版搬送ローラ５２ｂ」は、それぞれの機能に照らしそれぞれ、本件発明１の「廃棄すべき原紙」、「搬送手段」、「排版収納部」、「圧縮手段」及び「搬送方向下流側の搬送手段の一部」に相当する。
　刊行物１発明２の「排版搬送ローラ５２ｂの近傍であって、前記圧縮手段と干渉しないような位置であると共に排版ボックスの開口部の臨む位置に、排版搬送ガイド板５３ｂを設けた」は、「排版搬送ガイド板５３」が「排版ボックス１８の開口部に臨む位置に配置される」以上、圧縮板６０に付着した原紙が同開口部から外に出ないように押さえる機能を有することは、明らかであるから、本件発明３の「搬送方向下流側の前記搬送手段の一部の近傍であって、前記搬送手段が搬送する孔版原紙に抵抗を与えず、前記収納空間に収納された孔版原紙の前記搬送手段への巻き込みを起こさず、前記かき寄せリブと干渉しないような位置に、圧縮が完了した後に前記開口部に向けて移動する前記かき寄せリブに付着した原紙を押さえて同開口部から外に出ないようにする押さえ手段を設けた」とは、「搬送方向下流側の前記搬送手段の一部の近傍であって、前記圧縮手段と干渉しないような位置に、圧縮が完了した後に前記開口部に向けて移動する前記圧縮手段に付着した原紙を押さえて同開口部から外に出ないようにする押さえ手段を設けた」ものである点で共通する。
　刊行物１発明２の「昇降自在に取り付けられ前記排版ボックス１８の収納空間内を降下して該収納空間内の原紙を圧縮する圧縮板６０」と、本件発明３の「軸に対して回動自在に取り付けられ前記排版収納部の収納空間内を回動して該収納空間内の原紙を圧縮する圧縮手段」とは、「移動自在に取り付けられ前記排版収納部の収納空間内を移動して該収納空間内の原紙を圧縮する圧縮手段」である点で共通する。
　
　そうすると、本件発明３と、刊行物１発明２は、
「廃棄すべき原紙を搬送する搬送手段と、前記搬送手段によって搬送された原紙を開口部から受け入れて収納空間に収納する排版収納部と、移動自在に取り付けられ前記排版収納部の収納空間内を移動して該収納空間内の原紙を圧縮する圧縮手段とを有し、搬送方向下流側の前記搬送手段の一部を前記圧縮手段が通過する前記開口部に前記圧縮手段と干渉しないように配置した排版装置において、
　搬送方向下流側の前記搬送手段の一部の近傍であって、前記圧縮手段と干渉しないような位置に、圧縮が完了した後に前記開口部に向けて移動する前記かき寄せリブに付着した原紙を押さえて同開口部から外に出ないようにする押さえ手段を設けた排版装置。」
である点で一致し、少なくとも次の点で相違する。
　
［相違点］
　圧縮手段の移動方向、及び圧縮手段と押さえ手段の位置関係について、本件発明３は、圧縮手段（圧縮手段の先端縁に突出した形状で設けられたかき寄せリブ）は、回動自在であり、その回動自在の圧縮手段が排版収納部の開口部を通過する位置に、押さえ手段が設けられているのに対し、刊行物１発明２は、圧縮手段は昇降自在であり、その昇降自在の圧縮手段が排版収納部の開口部を通過する位置には、押さえ手段が設けられていない点。
　
　上記相違点について検討するに、上記刊行物３及び４に、廃棄物収納部内で廃棄物を圧縮するための圧縮手段を軸に対して回動自在に取り付けることが示唆されている〔（記載事項３−イ）、３−ウ）、４−イ）、４−ウ）等参照〕から、刊行物１発明２においても、圧縮手段を軸に対して回動自在に取り付けるようになすことは当業者が容易になし得ることである。
  しかしながら、本件発明３が、回動自在の圧縮手段が排版収納部の開口部を通過する位置に、押さえ手段が設けられているのに対し、上記刊行物３及び４に記載のものは、押さえ手段を設けることがそもそも記載されておらず、回動自在の圧縮手段が排版収納部の開口部を通過する位置に、押さえ手段を設けることを示唆するものではなく、他の証拠にもこのことを示唆するものはない。
　そして、本件発明３は、特に上記相違点に係る構成を具備することにより、「特に、圧縮手段によって排版収納部内で圧縮した原紙Ｓが排版収納部外に戻ってしまうという不都合が回避できる。」という上記刊行物１乃至５に記載されていない作用効果を奏するものである。
　したがって、本件発明３は、上記刊行物１乃至５に記載された発明と同一といえないばかりでなく、これらから当業者が容易に発明をすることができたものともいえない。
　
［本件発明４及び５について］
　本件発明４及び５は、本件発明３の構成要件の全てを構成要件の一部として備えるものであるから、本件発明３と同様な理由で、上記刊行物１乃至５に記載された発明と同一といえないばかりでなく、これらから当業者が容易に発明をすることができたものともいえない。　
　
　よって、特許異議申立人の上記理由１を採用することができない。
　
（４）理由２についての判断
　特許異議申立人は、以下の理由で平成１４年２月１８日付けで行われた手続補正は、願書に最初に添付した明細書又は図面に記載した事項の範囲内においてなされたものではないと主張する。
［理由］平成１４年２月１８日付けの手続補正書（以下、「本件補正」という。）により補正された（以下、「補正後の」という。）特許請求の範囲の請求項３には、「前記収納空間に収納された孔版原紙の前記搬送手段への巻き込みを起こさず、前記圧縮手段と干渉しないような位置に、圧縮が完了した後に前記開口部に向けて移動する前記圧縮手段に付着した原紙を押さえて同開口部から外に出ないようにする押さえ手段を設けた」と記載され、補正後の請求項３を引用する補正後の請求項５には、「前記押さえ手段が、前記搬送手段の支持部材の一部にて形成されている」と記載されている。そうすると、補正後の請求項３及び補正後の請求項５は、搬送手段の支持部材の一部にて形成されている押さえ手段を、収納空間に収納された孔版原紙の搬送手段への巻き込みを起こさない位置に設けたものを包含するが、この点は、願書に最初に添付した明細書又は図面に記載されていない。
　
　しかし、願書に最初に添付した明細書には、「上記実施例では、原紙Ｓ搬送方向の下流側にある下第２プーリ３０を支持する支持部２７ｂ，２８ｂを、原紙Ｓの戻りを押さえる押さえ部材としていたが、支持部２７ｂ，２８ｂとは別体の押さえ部材を設けてもよい。その場合、押さえ部材は圧縮板５０のかき寄せリブ５１と干渉しない位置に設ける必要がある。また、押さえ部材が搬送される原紙Ｓに抵抗を与えないように、押さえ部材の上面が支持部２７ｂ，２８ｂの上面よりも下にくるようにする。また、押さえ部材の下面は、ベルトの回動により原紙の巻き込み等を起こさないよう、http://www.mcdonalds.co.jp/sales/happyset_h_f.htmlベルトよりも下にくるようにする。」（段落【００６９】）と記載されており、この記載内容に基づけば、押さえ部材の下面がベルトよりも下にくれば、ベルトの回動により原紙の巻き込みが起こらないものと理解される。
　一方、願書に最初に添付した明細書の「図２に示すように、排版容器４０を孔版印刷装置に装着した場合、前記搬送装置２の下流側の一部は、前記排版容器４０の開口部４０ｂの前端部に位置する。・・・従って、これら支持部２７ｂ，２８ｂ等を含む搬送方向の下流側の搬送装置２の一部は、排版容器４０内に収納した原紙Ｓが開口部４０ｂから排版容器４０外に戻ってしまうことを防止する押さえ手段となる。」（段落【００４９】）との記載、及び願書に最初に添付した図２に基づけば、搬送手段の支持部材の一部にて形成されている押さえ手段である支持部２７ｂの下面が、ベルト３１よりも下にきていることが明らかである。
　そうすると、搬送手段の支持部材の一部にて形成されている押さえ手段を、収納空間に収納された孔版原紙の搬送手段への巻き込みを起こさない位置に設けたものは、願書に最初に添付した明細書又は図面に記載した事項の範囲内と認識することができる。
　したがって、本件補正は、願書に最初に添付した明細書又は図面に記載した事項の範囲内においてなされたものであり、特許法第１７条の２第２項において準用する特許法第１７条第２項に規定する要件を満たしている。
　よって、特許異議申立人の上記理由２を採用することができない。
　
４．むすび
　以上のとおりであるから、特許異議申立ての理由によっては、本件発明１乃至５についての特許を取り消すことができない。
　また、他に本件発明１乃至５についての特許を取り消すべき理由を発見しない。
　したがって、本件発明１乃至５についての特許は、拒絶の査定をしなければならない特許出願に対してされたものと認めない。
　よって、結論のとおり決定する。
【異議決定日】
平成１５年１２月１５日（２００３．１２．１５）
【訂正の要旨】
審決（決定）の【理由】欄参照。
（５４）【発明の名称】
排版装置
（５７）【特許請求の範囲】
　【請求項１】　廃棄すべき原紙を搬送する搬送手段と、前記搬送手段によって搬送された原紙を開口部から受け入れて収納空間に収納する排版収納部と、
軸に対して回動自在に取り付けられ
回動
前記圧縮手段の先端縁に突出した形状で設けられ、前記圧縮手段の回動によって前記排版収納部内に原紙を取り込んで圧縮でき、圧縮した原紙を更に前記排版収納部内の奥側上方の前記軸に向けて移動させるような形状のかき寄せリブと、前記かき寄せリブ
回動
前記かき寄せリブ
し、前記押さえ手段は、前記開口部の前記かき寄せリブが通過する位置に設けられている
　【請求項２】　前記排版収納部は、
底面乃至前面が
であり、略矩形の背面と略扇形の両側面は閉止されており、
回動
てい
　【請求項３】　廃棄すべき原紙を搬送する搬送手段と、前記搬送手段によって搬送された原紙を開口部から受け入れて収納空間に収納する排版収納部と、
軸に対して回動自在に取り付けられ
回動
　
前記圧縮手段の先端縁に突出した形状で設けられ、前記圧縮手段の回動によって前記排版収納部内に原紙を取り込んで圧縮でき、圧縮した原紙を更に前記排版収納部内の奥側上方の前記軸に向けて移動させるような形状のかき寄せリブを有し、
　搬送方向下流側の前記搬送手段の一部の近傍であって、前記搬送手段が搬送する孔版原紙に抵抗を与えず、前記収納空間に収納された孔版原紙の前記搬送手段への巻き込みを起こさず、前記
かき寄せリブ
かき寄せリブ
、前記押さえ手段は、前記開口部の前記かき寄せリブが通過する位置に設けられている
　【請求項４】　
前記排版収納部は、底面乃至前面が周壁であり、略矩形の背面と略扇形の両側面は閉止されており、前記開口部を上面に備えており、
　【請求項５】　前記搬送手段が、支持部材と、前記支持部材に設けられたプーリと、前記プーリに掛け回されたベルトを有しており、
　前記押さえ手段が、前記搬送手段の支持部材の一部にて形成されている請求項３記載の排版装置。
【発明の詳細な説明】
　【０００１】
　【産業上の利用分野】
　本発明は、孔版印刷装置等に設けられ、印刷部等から搬送されてきた使用済みの孔版原紙を圧縮して収納する排版装置に関するものである。
　【０００２】
　【従来の技術】
　一般的な輪転式孔版印刷装置は、一部がインキ透過性である円筒状の版胴を備えている。該版胴の内部にはインキ供給手段があり、版胴の内周面にインキを供給する。版胴の外周には製版された孔版原紙が巻装される。版胴の近傍には、用紙を版胴に押しつける押圧手段が設けられる。版胴の回転に伴い、版胴と押圧手段の間に用紙が供給される。押圧手段は用紙を版胴の原紙に押しつける。版胴の内周面に供給されたインキは、版胴及び原紙の穿孔部を通過して用紙に転移する。製版された原紙の穿孔部に対応した孔版印刷が用紙に施される。印刷終了後に使用済み原紙を廃棄するため、前記版胴の近傍には剥離爪と搬送ローラと排版収納部とを有する排版手段が設けられている。
　【０００３】
　排版手段としては、例えば特開平６−１９９０２９号公報に示すような排版装置が知られている。図１２は、この排版装置を示している。使用済み原紙Ｓは、搬送ローラ２０２によって入口部２０３から排版収納部２０１の内部へ送り込まれる。原紙Ｓは入口部２０３の近傍で圧縮板２０４に突き当たり、その進入を妨げられることにより空間２０５内で蛇腹状に圧縮される。この状態で次の使用済み原紙が収納部２０１に送り込まれ、それに伴い前に収納された原紙は更に圧縮される。
　【０００４】
　空間２０５内に送り込まれる原紙が増加すると、圧縮板２０４の手前にある原紙Ｓに加わる圧力が次第に大きくなる。それが圧縮板２０４の自重による原紙の保持力に打ち勝つと、図１３に示すように、圧縮板２０４は原紙Ｓにより入口部２０３とは反対の排版収納部２０１の奥側へ前記保持力に抗して回動される。原紙Ｓは圧縮されながら奥側に順次移動する。
　【０００５】
　【発明が解決しようとする課題】
　版胴から剥離された使用済みの原紙はインキが付着しており、その搬送途中でインキの粘着力によって搬送機構に貼り着いたり引っ掛かったりする。また、原紙毎にインキの付着量が異なるため、必ずしも同じような状態で排版収納部内に収納されるわけではない。更に、搬送ローラと圧縮板とによって行われる原紙の圧縮は完全ではなく、圧縮された原紙が後に元の状態へ復元し、これが搬送経路中に詰まって以降の排版動作に不良を生じることもあった。
　【０００６】
　本発明は、インキ等が付着した孔版原紙を確実に圧縮して収納することができる排版装置を提供することを目的としている。
　【０００７】
　【課題を解決するための手段】
　請求項１に記載された排版装置は、廃棄すべき原紙を搬送する搬送手段と、前記搬送手段によって搬送された原紙を開口部から受け入れて収納空間に収納する排版収納部と、
軸に対して回動自在に取り付けられ
回動
前記圧縮手段の先端縁に突出した形状で設けられ、前記圧縮手段の回動によって前記排版収納部内に原紙を取り込んで圧縮でき、圧縮した原紙を更に前記排版収納部内の奥側上方の前記軸に向けて移動させるような形状のかき寄せリブと、前記かき寄せリブ
回動
前記かき寄せリブ
し、前記押さえ手段は、前記開口部の前記かき寄せリブが通過する位置に設けられている
　【０００８】
　請求項２に記載された排版装置は、請求項１記載の排版装置において、前記排版収納部は、
底面乃至前面が
であり、略矩形の背面と略扇形の両側面は閉止されており、
回動
てい
　【０００９】
　請求項３に記載された排版装置は、廃棄すべき原紙を搬送する搬送手段と、前記搬送手段によって搬送された原紙を開口部から受け入れて収納空間に収納する排版収納部と、
軸に対して回動自在に取り付けられ
回動
前記圧縮手段の先端縁に突出した形状で設けられ、前記圧縮手段の回動によって前記排版収納部内に原紙を取り込んで圧縮でき、圧縮した原紙を更に前記排版収納部内の奥側上方の前記軸に向けて移動させるような形状のかき寄せリブを有し、
かき寄せリブ
かき寄せリブ
、前記押さえ手段は、前記開口部の前記かき寄せリブが通過する位置に設けられている
　【００１０】
　請求項４に記載された排版装置は、請求項３記載の排版装置において、
前記排版収納部は、底面乃至前面が周壁であり、略矩形の背面と略扇形の両側面は閉止されており、前記開口部を上面に備えており、
　【００１１】
　請求項５に記載された排版装置は、請求項３記載の排版装置において、前記搬送手段が、支持部材と、前記支持部材に設けられたプーリと、前記プーリに掛け回されたベルトを有しており、前記押さえ手段が、前記搬送手段の支持部材の一部にて形成されていることを特徴としている。
　【００１２】
　【作用】
　廃棄すべき原紙は搬送手段によって搬送され、排版収納部の開口部から収納空間内に収納される。圧縮手段は収納空間内で所定方向に移動し、原紙を圧縮する。収納空間内にある原紙は確実に圧縮される。圧縮が完了すると、圧縮手段は前記所定方向と反対の方向に移動する。この時、圧縮手段に原紙が付着しており、該原紙が圧縮手段と共に開口部に向けて移動してきても、排版収納部の開口部の近傍に設けられた押さえ手段と搬送手段の一部が該原紙を押さえるので、該原紙が開口部から排版収納部の外に出ることはない。
　【００１３】
　【実施例】
　本発明の一実施例を図面を参照して説明する。
　図１は一実施例の排版装置１を有する孔版印刷装置１００を示している。版胴１０１は多孔性のスクリーン等から成る複層構造の円筒体である。この版胴１０１の外周面には原紙係止部１０２が設けられている。製版された孔版印刷用原紙Ｓの先端は原紙係止部１０２によって版胴１０１に固定される。孔版印刷原紙Ｓの先端が原紙係止部１０２によって版胴１０１に固定された後、版胴１０１が回転して該孔版印刷用原紙Ｓは版胴１０１の外周面に巻きつけられる。版胴１０１の内部にはスキージロール、ドクターロール等を有するインキ供給装置１０３が設けられ、版胴１０１の内周面にインキを供給する。版胴１０１の下方には押圧手段としてのプレスロール１０４が設けられている。プレスロール１０４は用紙Ｐの供給乃至版胴１０１の回転に同期して上下動し、用紙を版胴１０１に押し付ける。
　【００１４】
　本孔版印刷装置１００の給紙機構を説明する。図１において、版胴１０１の左側下方には、用紙Ｐを積載する給紙台１０５が設けられている。給紙台１０５の上方には、給紙台１０５に積載した用紙Ｐから一枚ずつ用紙Ｐを捌いて送りだすスクレーパユニット１０６が設けられている。スクレーパユニット１０６の隣部には、スクレーパユニット１０６によって捌かれた用紙Ｐを所定のタイミングで版胴１０１とプレスロール１０４の間に給送するタイミングロール１０７が設けられている。
　【００１５】
　本孔版印刷装置１００の排紙機構を説明する。図１において、版胴１０１の右側下方には、印刷された用紙Ｐの先端に接近して用紙Ｐを版胴１０１から分離する分離爪１０８と、用紙Ｐを版胴１０１から分離する分離ファン１０９が設けられている。分離爪１０８の下方には、版胴１０１から分離した用紙Ｐを搬送する搬送機構１１１が設けられている。搬送機構１１１は、搬送する用紙Ｐを吸引保持するための吸引手段１１１ａを有している。搬送機構１１１の搬送方向の隣部には排紙台１１２が設けられており、搬送されてきた印刷済みの印刷用紙Ｐを受容載置する。
　【００１６】
　さらに図１において、排紙機構１１１の上方には、ロール状の原紙を収納する原紙供給部１１３が設けられており、原紙Ｓは図中左方に送られる。原紙供給部１１３の隣部には、原紙供給部１１３から送り出された原紙Ｓを製版する製版装置１１４が設けられている。製版装置１１４は、サーマルヘッドとプラテンローラからなり、原稿に対応した画像を孔版印刷用原紙Ｓ（以下、原紙Ｓと呼ぶ。）に穿孔する。製版装置１１４の隣部には、製版された原紙Ｓを案内するガイド板１１５が設けられている。ガイド板１１５と製版装置１１４の間には原紙Ｓを切断するカッタ１１６が設けられている。ガイド板１１５の隣部には排出ロール１１７が設けられており、製版された原紙を版胴１０１に送りだす。前記ガイド板１１５は排出ロール１１７側の一端を支点として揺動でき、製版装置１１４側の端部を下げれば、製版された原紙Ｓを原紙溜め込み部１１８に送り込むことができる。
　【００１７】
　原紙供給部１１３から供給された原紙Ｓは製版装置１１４によって製版される。製版された原紙Ｓの先端が排出ロール１１７に送られて版胴１０１の原紙係止部１０２まで到達すると、原紙係止部１０２は原紙Ｓの先端部を固定する。版胴１０１を回転させながら製版済みの原紙を版胴１０１に送り出す。一版分の長さの製版済みの原紙Ｓが送られたら、版胴１０１の回転を停止し、カッター１６で原紙Ｓを切断した後、残り分を版胴１０１に巻き付ける。
　【００１８】
　次に排版装置１について説明する。図１にて、排版装置１は、給紙機構のスクレーパユニット１０６等の上方であって、前記版胴１０１の左側を占める位置に設けられている。排版装置１は、使用済みの原紙Ｓを版胴１０１の外周面から剥がして廃棄する装置である。この排版装置１は、使用済みの原紙Ｓを版胴１０１から剥がして搬送する搬送装置２と、搬送装置２によって搬送された使用済みの原紙Ｓを収納する排版容器４０と、排版容器４０内で原紙を圧縮する圧縮板５０とを有している。
　【００１９】
　搬送装置２は、複数本の丸形の無端ゴムベルト（以下ベルトと呼ぶ。）と複数個のプーリからなる第１及び第２搬送手段１０，２０によって構成されている。図１及び図２に示すように、第１搬送手段１０は、版胴１０１の上方に設けられた排版圧板３に取り付けられている。排版圧板３は、本孔版印刷装置１の筐体の上面を構成している蓋体であり、図１中に示すように右端部が筐体に回動自在に連結されている。
　【００２０】
　図２に示すように、排版圧板３の右端には、上第１回転軸１１が回転自在に設けられている。上第１回転軸１１は版胴１０１の中心軸線と平行である。上第１回転軸１１には所定間隔をおいて４個の上第１プーリ１２が設けられている。
　【００２１】
　排版方向において上第１回転軸１１の隣（図２においては左）には、上第２回転軸１３が回転自在に設けられている。上第２回転軸１３は上第１回転軸１１と平行である。上第２回転軸１３には所定間隔をおいて４個の上第２プーリ１４が設けられている。上第２プーリ１４は２列の溝を有しており、２本のベルトを掛けることができる。
　【００２２】
　排版方向において上第２回転軸１３の隣（図２においては左）には、所定間隔をおいて４個の上第３プーリ１５が設けられている。各上第３プーリ１５は、排版圧板３に固定された複数の支持板４に、各々の軸線を中心として回転できるように取り付けられている。各上第３プーリ１５の各軸線は、前記上第１回転軸１１及び上第２回転軸１３と平行である。
　【００２３】
　図２及び図３に示すように、軸方向の位置が対応する各上第３プーリ１５と各上第２プーリ１４には、それぞれベルト１６が掛け回されている。軸方向の位置が対応する各上第２プーリ１４と各上第１プーリ１２には、それぞれベルト１７が掛け回されている。上第２回転軸１３を駆動すれば、上第１プーリ１２、上第２プーリ１４及び上第３プーリ１５は同方向に回転し、各ベルト１６，１７も同方向に循環して回転する。図２において、各プーリ１２，１４，１５及び各ベルト１６，１７は時計回り方向に回転する。
　【００２４】
　図２に示すように、第２搬送手段２０は、前記第１搬送手段１０の下方において、本孔版印刷装置１の構造体５に設けられている。この構造体５は、前記各回転軸１１，１３，１５と平行な断面略Ｌ字形の部材である。
　【００２５】
　図２及び図３に示すように、前記構造体５の上面には、所定間隔をおいて４本の円柱形の柱部２４が固定されている。各柱部２４には付勢手段としてのコイルばね２５が挿入されており、コイルばね２５を介して柱部２４には板部材２６が取り付けられている。
　【００２６】
　図２に示すように、板部材２６は、細長い薄板材の両縁部を長手方向に沿って同方向に直角に折り曲げた形状の部材である。板部材２６の中央部には所定間隔で４個の孔が形成されている。各孔には前記各柱部２４が挿入され、板部材２６は前記コイルばね２５によって支えられている。板部材２６を下方に押す力が加われば、板部材２６はコイルばね２５の弾性によって上向きの付勢力を受ける。
　【００２７】
　図２に示すように、板部材２６の版胴１０１側の面には、支持部材２９を介して下第１回転軸２１が回転自在に設けられている。下第１回転軸２１は、前記上第２回転軸１３と平行であり、前記上第２回転軸１３の直下に配置されている。下第１回転軸２１には所定間隔をおいて４個の下第１プーリ２２が設けられている。各下第１プーリ２２は、前記各上第２プーリ１４と上下に近接した位置にある。
　【００２８】
　図２及び図３に示すように、板部材２６の版胴１０１と反対の側すなわち図３にて左側には３個の支持部材２７，２８が固定されている。中央の支持部材２７は、中央の基部２７ａと、その両側から前方に突出した２枚の支持部２７ｂ，２７ｂを有している。両側の２個の支持部材２８，２８は、それぞれ基部２８ａと、基部２８ａに連続して前方に突出した１枚の支持部２８ｂを有している。
　【００２９】
　図２及び図３に示すように、前記支持部材２７，２８の各支持部２７ｂ，２８ｂには、下第２プーリ３０が１個づつ設けられている。４個の下第２プーリ３０は、それぞれ独立した回転軸を以て各支持部２７ｂ，２８ｂに回転可能に取り付けられている。４個の下第２プーリ３０の回転軸は互いに独立しているが、その軸線は一致している。各下第２プーリ３０は、前記各上第３プーリ１５に接触しており、各下第２プーリ３０が設けられた板部材２６を支えるコイルばね２５はたわんだ状態にある。従って各下第２プーリ３０はコイルばね２５の弾性によって所定の付勢力で前記各上第３プーリ１５を押圧している。
　【００３０】
　前記板部材２６は、曲げに対して所定の弾性を示す金属板からなる。従って、板部材２６の前面に取り付けられた３個の支持部材２７，２８は、板部材２６の各部分を回復可能に変形させることによって、それぞれ独立に変位することが可能である。従って、かかる支持部材２７，２８に設けられた４個の下第２プーリ３０もそれぞれ独立に移動することができる。中央の２個の下第２プーリ３０，３０は共通の支持部材２７に設けられており、両プーリの運動は他方に影響するが、必ずしも同様に移動するとは限らない。
　【００３１】
　図２及び図３に示すように、軸方向の位置が対応する各下第１プーリ２２と各下第２プーリ３０には、それぞれベルト３１が掛け回されている。ベルト３１は、板部材２６の上と板部材２６の前面に設けた切り欠きを経て循環する。下第１回転軸２１を駆動すれば、下第１プーリ２２、下第２プーリ３０及びベルト３１が同方向に回転する。図１において、各プーリ２２，３０及びベルト３１は反時計回り方向に回転する。
　【００３２】
　上第３プーリ１５を支える支持板４と、下第２プーリ３０を支える支持部２７ｂ，２８ｂは、原紙の搬送方向に平行な原紙の中心線に関して左右対称に配置されている。従って、搬送中の原紙が支持板４や支持部２７ｂ，２８ｂから受ける力が、原紙の搬送方向を曲げることはない。搬送中の原紙は支持板４や支持部２７ｂ，２８ｂに引っ掛かりにくく、円滑に搬送される。
　【００３３】
　前記各ベルト１６，１７，３１は、耐久性、耐溶剤性が高く、摩擦が大きく変形しにくい材質からなることが好ましい。また、前記各プーリ１２，１３，１５，２２，３０はポリアセタールなど、ベルトと同様に耐溶剤性が高く、摩擦が大きい材質からなることが好ましい。
　【００３４】
　図２及び図３に示すように、前記下第１回転軸２１の下方には、原紙を版胴１０１から引き剥がすための２個の分離爪２３が設けられている。２個の分離爪２３は構造体５に固定されており、楔状の先端を版胴１０１の頂部に向けている。原紙係止部１０２が解除されると、版胴１０１に巻き付けられた孔版印刷用原紙Ｓの先端が自由になる。続けて版胴１０１が回転すると、孔版印刷用原紙Ｓの先端は２個の分離爪２３に案内され、第１搬送手段１０と第２搬送手段２０の間に導かれる。
　【００３５】
　図２及び図３に示すように、第１搬送手段１０が設けられた排版圧板３には、圧縮手段としての圧縮板５０が軸３４の周りに所定角度回転可能となるように設けられている。圧縮板５０は、第１搬送手段１０の搬送方向について、第１搬送手段１０の下流側にある。圧縮板５０は図２に示す位置をホームポジションとする。ホームポジションにある圧縮板５０は、前記搬送装置２による原紙Ｓの搬送を妨害しない。
　【００３６】
　図２〜図４に示すように、圧縮板５０の後端縁は、排版圧板３に架設された軸３４に対して回動自在に取り付けられている。図３及び図５に示すように、軸３４の周りには２本のばね３６が通されている。ばね３６の一端は、軸３４に固定された板部材３４ａに掛けられている。ばね３６の他端は、圧縮板５０の後端縁に形成された切り欠き部５０ａに掛けられている。なお、ホームポジションにおいて、ばね３６の弾性力は圧縮板５０を下方に付勢するように働く。
　【００３７】
　圧縮板５０の版胴１０１側の先端縁には、複数条（本実施例では１０条）のかき寄せリブ５１が前記搬送装置にぶつからないような配置で設けられている。図２に示すように、本実施例のかき寄せリブ５１は下方に突出した三角形状である。詳細は後述するが、図２に示すように、原紙Ｓを収納する排版容器４０は、回動する圧縮板５０の先端に沿った周壁を有している。このため、回動する圧縮板５０のかき寄せリブ５１と排版容器４０の隙間に原紙が入り込んだりすることはなく、圧縮板５０は排版容器４０内で確実に原紙を移動させ、圧縮することができる。
　【００３８】
　なお、かき寄せリブ５１は三角形状なので、圧縮板５０の回動によって排版容器４０内に原紙を確実に取り込んで圧縮でき、圧縮した原紙を更に排版容器４０の奥側上方の軸３４に向けて移動させることができる。従って、排版容器４０内に多くの原紙を圧縮して収納できる。かき寄せリブ５１の形状は必ずしも三角形状には限定されないが、このような作用・効果を有する形状であることが好ましい。また、圧縮板５０の内面、即ち排版容器４０側の面には、格子状のリブが設けられている。このリブは、インキが付着した原紙が圧縮板５０の内面に貼り付くのを防止する。
　【００３９】
　図２及び図３に示すように、軸３４に近い圧縮板５０の一部には、圧縮板５０の回動位置を検知するために、排版圧板３の方向へ突出した突起３５が設けられている。図８に示すように、突起３５は満タンセンサ３８によって検出される。
　【００４０】
　図２及び図３に示すように、軸３４には、軸の回動位置を検知するために検知板３７が固定されている。図２、図８及び図９に示すように、検知板３７は圧縮センサ３９によって検知される。
　【００４１】
　図２に示すように、前記搬送装置２の隣であって、かつホームポジションにある前記圧縮板５０の下方の位置には、使用済みの孔版印刷用原紙Ｓを収納する排版収納部としての排版容器４０が設けられている。円柱の円形の端面において、直交する２本の直径をそれぞれ含み、かつ該端面に垂直な２つの面で前記円柱を４分割すると、断面が中心角９０°の扇形である４個の立体が得られる。本実施例の排版容器４０はこの立体に似た外形を有する。即ち、図１及び図２に示すように、排版容器４０の底面乃至前面は円柱の周面の一部からなる周壁４０ａであり、略矩形の背面と略扇形の両側面は閉止されている。略矩形の上面は開放されており、廃棄される原紙の入口となる開口部４０ｂとされている。
　【００４２】
　排版容器４０の周壁４０ａの形状は、軸３４を中心に回動する前記圧縮板５０の先端の軌跡に略合致している。そして、原紙を収納する排版容器４０の収納空間と、回動する前記圧縮板５０が通過する空間とは、実質的に一致している。従って、排版容器４０内に収納された原紙Ｓは、排版容器４０の略内面に沿って移動する前記圧縮板５０によって確実に圧縮される。
　【００４３】
　図６は、排版容器４０を上方から見た図である。搬送される原紙の紙面（図６の紙面に一致する）に平行で原紙Ｓの搬送方向Ａに直交する方向を排版容器４０の第１の幅方向と定めると、排版容器４０の第１の幅は、原紙の搬送方向Ａに向けて徐々に拡大している。即ち、排版容器４０の第１の幅は、前記圧縮板５０が原紙を圧縮するために移動する方向に沿って広がっている。
　【００４４】
　また、前述したように、排版容器４０の周壁４０ａは、軸３４を中心に回動する前記圧縮板５０の先端の軌跡に略合致している。これを図２を参照して換言すれば、搬送される原紙Ｓの紙面に垂直な同図中縦の方向を排版容器４０の第２の幅方向と定めると、排版容器４０の第２の幅は、前記圧縮板５０が原紙を圧縮するために移動する方向に沿って広がっている。
　【００４５】
　本実施例の排版容器４０は以上説明したような形状に設定されているので、孔版印刷装置に脱着しやすい。また、圧縮板５０による圧縮時においては、より多くの原紙を収納するための容量をかせぐことができ、また圧縮板５０の戻り時には、排版容器４０内で圧縮された原紙が開口部４０ｂ側に戻り難くなる。
　【００４６】
　図６に示すように、排版容器４０の側面にはガイド４２が形成されている。ガイド４２は孔版印刷装置の本体側に設けられた図示しないスリットに係合する。排版容器４０は、ガイド４２と前記スリットにより孔版印刷装置の本体に対して略水平方向に移動することができ、該本体に対して自在に着脱できる。排版容器４０の背面には、排版容器４０を孔版印刷装置の本体に対して着脱する際に操作者が掴む把手４１が設けられている。排版容器４０が孔版印刷装置内の所定位置に装着されているか否かは、排版容器４０の位置を検知するセンサ等の出力信号に基づいて判断することができる。
　【００４７】
　図１１に示すように、排版容器４０が着脱される孔版印刷装置の本体には、Ｌ字形の取り付け板４７が、その角部において軸４８を介して回動自在に取り付けられている。取り付け板４７の一端部には排版圧板スイッチ４６が設けられている。軸４８に設けられたねじりコイルばね４８ａは、前記取り付け板４７の一端部に設けられた排版圧板スイッチ４６を上方に付勢している。排版圧板３に設けられた突起４９は、排版圧板３を閉止した時、所定位置に設定された排版圧板スイッチ４６のアクチュエータを直接押す。排版容器４０のガイド４２は、排版容器４０を孔版印刷装置に取り付けた時、前記取り付け板４７の他端部を押圧して該取り付け板４７をばね４８ａの排版圧板スイッチの付勢方向に回動させ、排版圧板スイッチ４６を前記所定位置に設定する。従って、排版圧板スイッチ４６は、排版圧板３の開閉と排版容器４０の着脱の状態の両方を検知することができる。換言すれば、排版容器４０が装着されると共に排版圧板３が閉止されなければ、排版圧板スイッチ４６はＯＮとならない。
　【００４８】
　図６に示すように、排版容器４０内には複数条（本実施例では９条）のリブ４３が設けられている。リブ４３は前記圧縮板５０のかき寄せリブ５１と干渉しない位置に形成されている。リブ４３は、排版容器４０内に収容した原紙Ｓが広い面積で排版容器４０の周壁４０ａに貼着するのを防止し、前記圧縮板５０による原紙Ｓの搬送・圧縮を円滑に行わせる機能を有する。排版容器４０を孔版印刷装置に着脱する際に、排版容器４０が前記搬送装置２と干渉しないよう、排版容器４０の周壁４０ａの上部には切り欠き部４４が設けられている。
　【００４９】
　図２に示すように、排版容器４０を孔版印刷装置に装着した場合、前記搬送装置２の下流側の一部は、前記排版容器４０の開口部４０ｂの前端部に位置する。前記搬送装置２の下流側の一部には、下第２プーリ３０、これを保持している支持部２７ｂ，２８ｂ、上第３プーリ１５及びベルト１６，３１が含まれる。そしてこれらの部材が位置する排版容器４０の開口部４０ｂの前端部は、圧縮板５０の先端が通過する位置でもある。従って、これら支持部２７ｂ，２８ｂ等を含む搬送方向の下流側の搬送装置２の一部は、排版容器４０内に収納した原紙Ｓが開口部４０ｂから排版容器４０外に戻ってしまうことを防止する押さえ手段となる。
　【００５０】
　即ち、圧縮板５０は排版容器４０内で原紙Ｓを圧縮した後、ホームポジションに戻る。この時、圧縮板５０に付着した原紙が圧縮板５０と共に排版容器４０の外に持ち出されてしまうことが考えられる。しかしながら本実施例では、圧縮板５０の先端部が出入りする排版容器４０の開口部４０ｂの前端部に近接して、搬送装置２の一部を配置した。この搬送装置２の一部は、圧縮板５０の先端部には干渉しないが、原紙Ｓを押さえて排版容器４０内に止まらせることができる。
　【００５１】
　図２に示すように、前記構造体５の垂直面には反射型のマスターセンサ３２が設けられている。マスターセンサ３２は、版胴１０１の外周面に原紙Ｓが装着されているか否かを検出する。
　【００５２】
　次に本孔版印刷装置の排版装置１における排版動作について説明する。
　排版動作は、製版ボタンが押下されたとき、または、機密処理（未製版の原紙を版胴１０１に巻き付ける処理）ボタンが押下されたときに開始される。例えば、原稿台に所望の原稿をセットし、図示しないスタートボタンを押下すると、まず、図１にて反時計周りに版胴１０１が回転する。その途上、図２に示す前記マスターセンサ３２が版胴１０１の外周面上の原紙Ｓの有無を検出する。
　【００５３】
　“原紙あり”（つまり排版すべき原紙が巻き付けられている）と判断された後、原紙係止部１０２が版胴１０１の最頂部に来たところで版胴１０１の回転が停止する。次に、原紙係止部１０２が開き、原紙Ｓの先端部が開放される。
　【００５４】
　原紙Ｓの開放と同時に上第２回転軸１３または下第１回転軸２１が不図示の駆動手段により駆動され、搬送装置２全体が原紙搬送方向に駆動を開始する。その際、上第１プーリ１２及び上第１プーリ１２に掛け渡されたベルト１７により、係止を解かれた原紙Ｓがカールして先端部が過剰に浮き上がるのが補正される。
　【００５５】
　版胴１０１が反時計方向に回転する。先端部の浮き上がった原紙Ｓは分離爪２３に案内されて搬送装置２に送られる。原紙Ｓは搬送装置２によって排版容器４０の方向に送られ、版胴１０１から引き剥がされていく。原紙係止部１０２が着排版位置から約９０度回転した時点で、前記マスターセンサ３２は再度原紙の有無を確認する。ここで、“原紙なし”であれば、原紙が搬送装置２へ送られたと判断する。“原紙あり”ならば、版胴１０１を更に２７０度（つまり着排版位置まで）回転させ、排版ミスを報知する。それと同時に搬送装置２の駆動も停止する。
　【００５６】
　剥ぎ取られた原紙Ｓは、搬送装置によって搬送される。図４に示すように、原紙Ｓは、実質的には上下から複数のプーリによって挟持されており、ベルトは搬送の案内として作用する。
　【００５７】
　図２に示すように、板部材２６の上方において、ジャム検知センサ４５が排版圧板３に取り付けられている。このジャム検知センサ４５は、原紙Ｓの搬送経路に設けられたアクチュエータによって作動する。本実施例のジャム検知センサ４５は、板部材２６の長手方向の中央部の上方に設けられているが、その設置位置はこれに限定されない。そのアクチュエータが原紙Ｓの搬送経路内に位置するように設けられていれば、どの位置に設けられていてもよい。搬送されてきた原紙Ｓの先端によりジャム検知センサ４５がＯＮし、原紙Ｓが通過している間はＯＮの状態となる。一版分が全て排版容器４０内に送り込まれると、ジャム検知センサ４５はＯＦＦとなる。
　【００５８】
　版胴１０１が前回の着排版位置から９０度回転するまでの間にマスターセンサ３２が“原紙なし”（原紙Ｓが搬送装置に送り込まれた状態）を検知し、かつ、版胴１０１がそこから２７０度回転した次の着排版位置の時点で前記ジャム検知センサ４５がＯＦＦ（原紙Ｓが排版容器４０に収納された状態）となっている時、原紙Ｓの圧縮動作に入る。
　【００５９】
　圧縮板５０は、原紙Ｓが排版容器４０内に入るまではホームポジションに位置する。図２に示すように、突起３５は満タンセンサ３８を遮断（ＯＮ）せず、検知板３７は圧縮センサ３９を遮断（ＯＮ）しない位置にある。
　【００６０】
　圧縮板５０は軸３４の周りを、図２において時計方向に回動する。圧縮板５０は排版容器４０の内面に沿って移動し、内部に収納した原紙Ｓを確実に圧縮して排版容器４０の後方に送る。図８は、圧縮板５０が排版容器４０内で原紙Ｓを圧縮している状態を示す。圧縮板５０が排版容器４０内で原紙Ｓを圧縮している時、図８に示すように検知板３７は圧縮センサ３９を遮断（ＯＮ）する。
　【００６１】
　圧縮板５０は、図８に示す位置からさらに回動し、原紙Ｓをさらに圧縮する。圧縮板５０のかき寄せリブ５１は、圧縮された原紙Ｓを排版容器４０内で上方の軸３４に向けてかき上げる。圧縮板５０が図９に示す所定の位置に来た時、検知板３７は圧縮センサ３９の位置を外れ、圧縮センサ３９はＯＦＦとなる。図９は、圧縮板５０が排版容器４０内で原紙Ｓを圧縮しうる限界の状態を示す。圧縮センサ３９がＯＦＦとなった時、圧縮板５０の回動は停止する。
　【００６２】
　軸３４に連結された図示しないモータが逆転し、圧縮板５０を圧縮方向と逆の方向に回動する。検知板３７は圧縮センサ３９を再びＯＮとした後、さらに回動して再び圧縮センサ３９をＯＦＦとする。ここで圧縮板５０は図２に示すホームポジションに戻る。圧縮センサ３９がＯＦＦとなった後、所定時間が経過するのを待って圧縮板５０の回動を停止させる。圧縮センサ３９がＯＦＦとなった直後に圧縮板５０を停止させないのは、孔版印刷装置の振動等によって圧縮センサ３９がＯＮになってしまうと、初期設定時に圧縮板５０の位置を確認するのに時間がかかってしまうためである。
　【００６３】
　排版容器４０内に収納された原紙Ｓの量が増加し、満タンになると、圧縮板５０が原紙Ｓを押し込んでもそれ以上移動しなくなる。この場合は、図１０に示すように、モータによって駆動される軸３４が回動し、軸３４に固定された検知板３７が軸３４と共に回動して圧縮センサ３９を通過しても、圧縮板５０は満杯になった原紙Ｓによって進路を妨げられ移動できない。従って圧縮板５０と一体の突起３５も回動できず、該突起３５は満タンセンサ３８をＯＮとすることができない。このように、圧縮動作時において満タンセンサ３８がＯＮとなる前に圧縮センサ３９がＯＦＦとなった場合には、“排版容器満杯”と判断される。
　【００６４】
　“排版容器満杯”が検出されると、“排版オーバー”の表示が図示しない操作パネルにＬＥＤ等により表される。図１１（ａ）に示すように、排版圧板３が閉じられ、排版容器４０が孔版印刷装置に取り付けられている状態では、取り付け板４７はガイド４２に押されており、排版圧板スイッチ４６は所定位置に設定されている。この位置で、排版圧板スイッチ４６は排版圧板３の突起４９によってＯＮとされている。図１１（ｂ）に示すように、排版容器４０を孔版印刷装置から取り外すと、取り付け板４７が軸４８の周りを時計方向に回動するので、排版圧板スイッチ４６は突起４９から離れてＯＦＦとなる。次に、排版容器４０内の原紙Ｓを捨て、空になった排版容器４０を孔版印刷装置に装着する。なお、前述のように排版圧板スイッチ４６は、排版圧板３が閉止されると共に排版容器４０が孔版印刷装置に装着されていなければＯＮにならない。排版圧板スイッチ４６が切れてから再び入るまでに所定時間以上が経過した時、原紙Ｓが排版容器４０から捨てられたものとみなし、上記の“排版オーバー”表示を停止させる。なお、そのとき排版圧板スイッチ４６がＯＮしたのを検知して、再度圧縮板５０を下げ排版処理後の確認を行えば、万が一版が捨てられておらず、排版満タンの状態で次の排版が行われても排版装置がジャムすることがない。
　【００６５】
　次に、本孔版印刷装置に電源を投入した時、圧縮板５０の位置を検出する手順について説明する。電源投入時、圧縮板５０が存在する位置は、▲１▼ホームポジション（図２）、▲２▼最大圧縮位置（図９）、▲３▼▲１▼と▲２▼の中間位置（図８）の３つの位置のいずれかであると考えられる。
　【００６６】
　図２に示す▲１▼の場合は、電源投入時、圧縮センサ３９はＯＦＦである。まず、図示しないモータにて圧縮板５０を図２にて時計方向に回転させ、圧縮センサ３９がＯＮとなった後に停止させ、さらにモータを逆回転させて圧縮センサ３９がＯＦＦした後所定時間（５０ｍｓ）経過してからモータを停止させる。
　【００６７】
　図９に示す▲２▼の場合も、圧縮センサ３９はＯＦＦである。検知板３７の時計方向後端が圧縮センサ３９の下方に外れている。まず、図示しないモータで圧縮板５０を図９にて時計方向に回転させる。所定時間（３６０ｍｓ）経過して圧縮センサ３９がＯＮとならない場合にモータを停止させ、さらにモータを逆転する。圧縮センサ３９がＯＮになったことを確認し、さらに圧縮センサ３９がＯＦＦになるまで同方向に駆動する。圧縮センサ３９がＯＦＦになった後は、▲１▼の場合と同様に所定時間後に停止させる。
　【００６８】
　図８に示す▲３▼の場合は、圧縮センサ３９はＯＮである。圧縮センサ３９がＯＦＦとなるまで圧縮板５０を時計方向に回し、圧縮センサ３９がＯＦＦとなったら圧縮板５０の駆動を停止する。その後逆転して圧縮センサ３９が再びＯＦＦとなった後は、▲１▼の場合と同様に所定時間後に停止させる。
　【００６９】
　上記実施例では、原紙Ｓ搬送方向の下流側にある下第２プーリ３０を支持する支持部２７ｂ，２８ｂを、原紙Ｓの戻りを押さえる押さえ部材としていたが、支持部２７ｂ，２８ｂとは別体の押さえ部材を設けてもよい。その場合、押さえ部材は圧縮板５０のかき寄せリブ５１と干渉しない位置に設ける必要がある。また、押さえ部材が搬送される原紙Ｓに抵抗を与えないように、押さえ部材の上面が、支持部２７ｂ，２８ｂの上面よりも下にくるようにする。また、押さえ部材の下面は、ベルトの回動により原紙の巻き込み等を起こさないよう、ベルトよりも下にくるようにする。
　【００７０】
　上記実施例では、下第２プーリ３０を支持する支持部２７ｂ，２８ｂを含む搬送装置２の一部を、原紙Ｓの戻りを押さえる押さえ部材としていた。図７に示すように、排版容器４０の開口部４０ｂの前端に近接した排版容器４０の周壁４０ａの内面側に、押さえ手段として爪状の突起５５を設けてもよい。この突起５５は、圧縮板５０のかき寄せリブ５１と干渉しない位置に設ける必要がある。この突起５５によっても、圧縮板５０を排版容器４０から戻す際に原紙Ｓを排版容器４０内に止まらせる効果が得られる。
　【００７１】
　【発明の効果】
　本発明によれば、インキ等が付着した孔版原紙Ｓを確実に圧縮して収納することができる。特に、圧縮手段によって排版収納部内で圧縮した原紙Ｓが排版収納部外に戻ってしまうという不都合が回避できる。
【図面の簡単な説明】
　【図１】
　一実施例の排版装置を有する孔版印刷装置の全体図。
　【図２】
　一実施例の排版装置の断面図。
　【図３】
　一実施例の排版装置を上方から見た図。
　【図４】
　一実施例の排版装置を版胴側から見た図。
　【図５】
　一実施例の排版装置における圧縮板の軸付近の拡大図であり、図３の上方側から見た図。
　【図６】
　一実施例の排版装置の排版容器を上方から見た図。
　【図７】
　一実施例の排版装置の排版箱を脱着方向に垂直な方向から見た図。
　【図８】
　一実施例の排版装置の動作説明図。
　【図９】
　一実施例の排版装置の動作説明図。
　【図１０】
　一実施例の排版装置の動作説明図。
　【図１１】
　一実施例の排版装置において排版容器の着脱動作を説明する部分拡大図。
　【図１２】
　従来の排版装置を示す図。
　【図１３】
　従来の排版装置を示す図。
　【符号の説明】
　１　排版装置
　１０，２０　搬送手段
　２　搬送装置
　２７ａ，２８ｂ　押さえ手段としての支持部
　３４　圧縮板の軸
　４０　排版収納部としての排版容器
　４０ａ　排版容器の周壁
　４０ｂ　排版容器の開口部
　５０　圧縮手段としての圧縮板
　５１　圧縮板の突起
　５５　押さえ手段としての突起